(57)【要約】【課題】  多筒伸縮ロッドにおける多数の内筒の先端外周面に突設したストッパと、外筒の基端に配置した栓体とで多数の内筒相互の収縮状態を纏めて確保すること。【解決手段】  僅かに先細の外筒Ａの中に少しずつ細くなる多数の僅小先細内筒Ｂを順次挿通し、前段筒の先端内周面に次段内筒の基部外周面が順次密接するまで各内筒を引き出すことで、これら各内筒Ｂを伸長維持可能となした多筒伸縮ロッドを作るに当たり、各内筒Ｂの先端外周面にそれぞれ突部したストッパＳまで前記内筒Ｂを互いに収縮させた状態で、最先内筒Ｂの基部Ｂ１を栓体ＣのボスＣ１または凹部Ｃ２に圧入し、この栓体Ｃの外鍔Ｃ３を前記外筒Ａの基端Ａ１に当接させることで、多数の内筒相互の収縮状態を纏めて確保できた。【選択図】      図１
2005080525.tif 000002
【特許請求の範囲】
【請求項１】
僅かに先細の外筒の中に少しずつ細くなる多数の僅小先細内筒を順次挿通し、前段筒の先端内周面に次段内筒の基部外周面がそれぞれ順次に密接するまで各内筒を引き出すことで、これら各内筒を伸長維持可能となした多筒伸縮ロッドにおいて、前記各内筒の先端外周面にそれぞれストッパを突設し、これら各ストッパまで互いに収縮させた各内筒のうち、最先内筒の基部を外筒基端に配置した栓体のボスに圧入し、この栓体の外鍔を前記外筒の基端に当接させることで、多数の内筒相互の収縮状態を纏めて確保可能となした多筒伸縮ロッド。
【請求項２】
僅かに先細の外筒の中に少しずつ細くなる多数の僅小先細内筒を順次挿通し、前段筒の先端内周面に次段内筒の基部外周面がそれぞれ順次に密接するまで各内筒を引き出すことで、これら各内筒を伸長維持可能となした多筒伸縮ロッドにおいて、前記各内筒の先端外周面にそれぞれストッパを突設し、これら各ストッパまで互いに収縮させた各内筒のうち、最先内筒の基部を外筒基端に配置した栓体の凹部に圧入し、この栓体の外鍔を前記外筒の基端に当接させることで、多数の内筒相互の収縮状態を纏めて確保可能となした多筒伸縮ロッド。
【請求項３】
僅かに先細の外筒の中に少しずつ細くなる多数のほぼ同寸先細の内筒を順次挿通し、前段筒の先端内周面に次段内筒の基部外周面が順次に密接するまで各内筒を引き出すことで、各内筒を伸長維持可能となした多筒伸縮ロッドにおいて、前記各内筒の先端外周面にそれぞれストッパを突設し、これら各ストッパまで互いに収縮させた各内筒基部における内周段差面を前記外筒の基端に配置した栓体の外周段差面に係合しながら、最先内筒の基部を前記栓体のボスに圧入することで、多数の内筒相互の収縮状態を纏めて確保可能となした多筒伸縮ロッド。
【請求項４】
僅かに先細の外筒の中に少しずつ細くなる多数のほぼ同寸先細の内筒を順次挿通し、前段筒の先端内周面に次段内筒の基部外周面が順次に密接するまで各内筒を引き出すことで、各内筒を伸長維持可能となした多筒伸縮ロッドにおいて、前記各内筒の先端外周面にそれぞれストッパを突設し、これら各ストッパまで互いに収縮させた各内筒基部における内周段差面を前記外筒の基端に配置した栓体の外周段差面に係合しながら、最先内筒の基部を前記栓体の凹部に圧入することで、多数の内筒相互の収縮状態を纏めて確保可能となした多筒伸縮ロッド。
【発明の詳細な説明】
【技術分野】
【０００１】
本発明は、魚釣り用振り出し竿やパラグライダの翼変形防止用可撓ロッドに用いて好適な多筒伸縮ロッドに係り、特に本発明は、多数の内筒の先端外周面に突設したストッパと、外筒の基端に配置した単一の栓体とで多数の内筒相互の収縮状態を纏めて確保できる多筒伸縮ロッドに関する。
【背景技術】
【０００２】
この種の多筒伸縮ロッドのうち、パラグライダの翼変形防止用の多筒伸縮式可撓ロッドとしては、例えば下記の特許文献１に記載のものが周知である。
この従来例は、図７のように翼上布１の下面に多数の縦リブ２ａからなる多数の空気取り入れ口２を介して翼下布３を張設し、その結合耳４に設けた多数の結束環５にそれぞれ前縁索６ａ・後縁索６ｂ・中間索６ｃの各上端を連結すると共に、これら各索の下部に連結部７を介してハーネス８を連結し、かつ前記後縁索６ｂの下部に操縦索９を備えたパラグライダの前記翼下布３の変形を防止するために、この従来例では、一般的な魚釣り用振り出し竿を用いた二本の先細の可撓ロッド１１をその大径基部１１ａ同士で連結して前記前縁索６ａを結び付けた結束環５に図７のように挿通することで、前記翼下布３の下面に取付け可能になしたパラグライダの翼変形防止用の多筒伸縮式可撓ロッドである。
【特許文献１】特公平７−５７６３９号公報
【発明の開示】
【発明が解決しようとする課題】
【０００３】
前記従来例における多筒伸縮式可撓ロッドは、僅かに先細の外筒の中に少しずつ細くなる多数の僅小先細内筒をそれぞれ内面滑性仕上げして滑り出し易く順次挿通し、前段筒の先端内周面に次段内筒の基部外周面がそれぞれ順次に密接するまで各内筒を引き出すことで、これら各内筒を伸長維持するものだから、外筒内で収縮状態にある各内筒を外筒と共に扱い中に先細側を少しでも下げたり振り回すと、各内筒がその先細方向に向かい２〜３メートル程、不意に滑り出して大変危険であるし、この逆に可撓ロッドの基部側を少しでも下げたり振り回すと、互いに収縮状態にある各内筒がその基部側に向かい急激に滑り出て落下し、バラバラに分離して使い物にならなくなるという本質的かつ、大きな問題点が有る。
【０００４】
したがって、現在では、上記外筒の両端にそれぞれ一個ずつ計二個の内筒滑り出し防止蓋を強固に被せたり、外筒の両端に同じく一個ずつ計二個の滑り出し防止袋を被せて縛り紐などできつく締着したり、または振り出し竿全体を専用のキャリングケースに収納することで、各内筒の両端方向への急激な滑り出しを防止して販売していたので、伸縮ロッドのセット商品として、その製造・部品管理・販売・使用・保守点検などのすべての面で扱い辛く、不便で面倒であるし、価格の面でも不利であったというような本質的かつ、大きな問題点が有る。
この発明は、多数の内筒の先端外周面に突設したストッパと、外筒基端に配置した栓体とで多数の内筒相互の収縮状態を纏めて確保することを目的とする。
【課題を解決するための手段】
【０００５】
上記した本発明の目的は、僅かに先細の外筒の中に少しずつ細くなる多数の僅小先細内筒を順次挿通し、前段筒の先端内周面に次段内筒の基部外周面がそれぞれ順次に密接するまで各内筒を引き出すことで、これら各内筒を伸長維持可能となした多筒伸縮ロッドを作るに当たり、前記各内筒の先端外周面にそれぞれストッパを突設し、これら各ストッパまで互いに収縮させた各内筒のうち、最先内筒の基部を外筒基端に配置した栓体のボスまたは凹部に圧入し、この栓体の外鍔を前記外筒の基端に当接させることで、多数の内筒相互の収縮状態を纏めて確保可能としたことで達成できた。
なお、各内筒をほぼ同寸とし、前記各ストッパまで互いに収縮させた各内筒基部における皮剥き筍の先に近い内周段差面を前記外筒の基端に配置した栓体の外周段差面に係合しながら、最先内筒の基部を前記栓体のボスまたは凹部に圧入することで、多数の内筒相互の収縮状態を纏めて確保するようにしてもよい。
【発明の効果】
【０００６】
本発明は、以上のような手段を採用したので、以下に記載の効果を奏する。
本発明による多筒伸縮ロッドは、その外筒基端から栓体を取り外しても、各内筒の先端外周面に突設した前記ストッパにより、前段筒への次段内筒の没入を阻止して各内筒の基部方向への滑り出しを阻止できると共に、外筒の基端に外鍔まで係入した前記栓体のボスまたは凹部に対する最先内筒基部の圧入摩擦と前記ストッパとにより、各内筒の先細方向への滑り出しを阻止して多数の内筒相互の収縮状態を纏めて確保できたので、この収縮状態にある各内筒を外筒と共に大きく傾けたり振り回しても、栓体と各内筒とは外筒の基端から妄りに滑り出さないので、安全かつ、容易に取り扱い使用できるという優れた効果が有る。
【０００７】
また、本発明では、前記従来例による多筒伸縮式可撓ロッドの出荷販売・使用時に必要であった外筒の両端に一個ずつ被せた計二個の内筒滑り出し防止蓋とか、滑り出し防止結束袋や専用のキャリングケースがそれぞれ不要となり、伸縮ロッドのセット商品として、その製造・部品管理・販売・使用・保守点検などのすべての面で取り扱い易く、価格的にも有利になったという優れた効果も有る。
【０００８】
本発明による多筒伸縮ロッドにおける各内筒をほぼ同寸とし、その収縮時に各内筒基部が皮剥き筍の先に近い形状の内周段差面になるようにすれば、前記栓体を外筒の基端に定着したままでも、各内筒基部の上記内周段差面を栓体の外周段差面に係合できると共に、各内筒先細内周面の中心出しを自動的に実行でき、栓体の中央内面に前記最先内筒の基部が対向するから、栓体のボスまたは凹部に対して最先内筒の基部を圧入し易くなり、前記多数の内筒相互の収縮状態を無造作に纏めて確保できるという効果を付加できた。
【発明を実施するための最良の形態】
【０００９】
本発明の第一の実施形態は、グラスファイバなど周知の軽量強靱可撓素材を周知手段で成形して作った僅かに先細の外筒Ａの中に、同素材製の少しずつ細くなる多数の僅小先細内筒Ｂをそれぞれ図１および図２のように順次挿通し、前段筒の先端内周面に次段内筒の基部外周面を図３のように順次密接するまで各内筒を引き出し、これら引き出した各内筒Ｂを上記密接摩擦により同図３のように伸長維持可能となした多筒伸縮ロッドを作るに当たり、本発明では、外筒Ａの中にその基端Ａ１側から各内筒Ｂを大径筒から小径筒へと図２のように順次挿通した後、これら各内筒Ｂの先端外周面にそれぞれ前段筒への没入を阻止できる高さのストッパＳを同図１・図２のように強固に接着または無理嵌め固着する。
【００１０】
次いで、多数の内筒Ｂを前記各ストッパＳまで互いに収縮させた状態で、最先内筒Ｂの基部Ｂ１を前記外筒Ａの基端外部に配置した合成樹脂や木材製などの図２のような栓体ＣのセンターボスＣ１に圧入しつつ、このボスだけまたは栓体Ｃを図１のように外筒基端Ａ１に係入し、栓体Ｃの外鍔Ｃ３を前記外筒基端Ａ１に同図１のように当接させることで、前記多数の内筒相互の収縮状態を纏めて確保できる本発明の第一実施形態による多筒伸縮ロッドを構成できた。
なお、前記センターボスＣ１に代えて図４のように栓体Ｃの中央内面に凹部Ｃ２を削設し、この凹部Ｃ２に最先内筒Ｂの基部Ｂ１の外周面を圧入しつつ、この栓体Ｃを図１のように外筒基端Ａ１に係入し、この栓体Ｃの外鍔を前記外筒Ａの基端Ａ１の端縁に同図４のように当接させることで、多数の内筒Ｂの相互収縮状態を纏めて確保するようにしてもよい。
【００１１】
本発明の第二の実施形態は、前記各図のように外筒Ａの中に少しずつ細くなる多数のほぼ同寸先細の内筒Ｂをそれぞれ順次に挿通した後、図５のように前記各ストッパＳまで互いに収縮させた各内筒Ｂの基部における皮剥き筍の先に近い形状の内周段差面Ｂ２を、前記外筒の基端に配置した栓体Ｃの外周段差面Ｃ４（または単なる円錐状外周面）に同図５のように係合させることで、上記内周面Ｂ２の中心出しを上記図５のように自動的に実行でき、栓体ＣのセンターボスＣ１に前記最先内筒Ｂの基部Ｂ１が必ず対向する結果となるから、上記ボスＣ１に対して最先内筒Ｂの基部Ｂ１を圧入し易くなり、栓体Ｃをその外鍔Ｃ３まで外筒Ａの基端Ａ１に容易に係入できるから、多数の内筒相互の収縮状態を無造作に纏めて確保できる本発明の第二の実施形態による多筒伸縮ロッドを構成できた。
なお、栓体Ｃにおける前記外周段差面Ｃ４の中心部に凹部２を図６のように削設し、この凹部Ｃ２に最先内筒Ｂの基部Ｂ１を同図６のように圧入することで、前記多数の内筒相互の収縮状態を纏めて確保するようにしてもよい。
【００１２】
本発明の多筒伸縮ロッドは、以上のような構成をなし、外筒Ａ内に有る互いに収縮した各内筒Ｂをそれぞれ図３のように相互に伸長させて使用するには、最先内筒Ｂの基部Ｂ１を栓体Ｃからその前記圧入摩擦に抗し、図２のように抜去することで各内筒Ｂは引き出しフリーの状態となるから、各内筒Ｂをそれぞれ先細方向に引き出し、多数の前段筒の先端内周面にそれぞれ次段内筒の基部外周面が上記図３のように順次に密接するまで引き出すことで、これら各内筒Ｂを上記密接摩擦により各内筒Ｂを伸長維持できるので、前記従来例のように振り出し竿やパラグライダの翼変形防止用可撓ロッドとして使用できる。
上記使用後に各内筒Ｂを再び収縮させるには、前記伸長状態にある各内筒Ｂをそれぞれ前記密接摩擦に抗し、前段筒内に各ストッパＳまで押し込むことで、各内筒Ｂを前記各図のように互いに収縮させて外筒Ａ内に収納することができ、多数の内筒相互の収縮状態は、前述した収縮確保手順により纏めて確保できる。
【実施例】
【００１３】
前記各ストッパＳは、各内筒Ｂの先端外周面にそれぞれ木綿糸などを２０〜３０回程度強固に巻着し接着突設してもよく、また栓体ＣのセンターボスＣ１や凹部Ｃ２の各先端に、前記各図のようにガイド斜面を形成すれば、上記ボスＣ１や凹部Ｃ２に最先内筒Ｂの基部を圧入し易くでき、さらに前記各内筒を金属等導電材で作れば、本発明品をロッドアンテナとして利用できる。
【図面の簡単な説明】
【００１４】
【図１】本発明の基本形態例を示す縦断立面図
【図２】図１に示すものの分解例を示す縦断立面図
【図３】本発明における内筒の伸長例を示す部分的縦断立面図
【図４】本発明の他の形態例を示す要部縦断立面図
【図５】本発明の別の形態例を示す縦断立面図
【図６】本発明の別の形態例を示す要部縦断立面図
【図７】従来の多筒伸縮式可撓ロッドの使用例を示す斜視図
【符号の説明】
【００１５】
Ａ  外筒
Ｂ  内筒
Ｃ  栓体
Ｓ  ストッパ
Ａ１  外筒の基端
Ｂ１  最先内筒の基部
Ｂ２  内筒の内周段差面
Ｃ１  栓体のセンターボス
Ｃ２  栓体の凹部
Ｃ３  栓体の外鍔
Ｃ４  栓体の外周段差面
【図１】
2005080525.tif 000003
【図２】
2005080525.tif 000004
【図３】
2005080525.tif 000005
【図４】
2005080525.tif 000006
【図５】
2005080525.tif 000007
【図６】
2005080525.tif 000008
【図７】
2005080525.tif 000009